(57)【要約】【課題】利用者の関心をより喚起する画像を作成する。【解決手段】本発明に係る電力管理装置（１２）は、分散電源（１５）の発電による利益に関する目標値についての情報、一定期間における分散電源（１５）の発電量、ならびに分散電源により供給された電力の需要家施設における消費量および売電量に関する電力情報を取得する取得部（２１）と、取得部（２１）により取得された目標値についての情報と電力情報とに応じた画像を作成する制御部（２２）と、を有する。【選択図】図２
2016123183.tif 000002
【特許請求の範囲】
【請求項１】
分散電源を備える需要家施設に設けられた電力管理装置であって、
前記分散電源の発電による利益に関する目標値についての情報、一定期間における前記分散電源の発電量、ならびに前記分散電源により供給された電力の前記需要家施設における消費量および売電量に関する電力情報を取得する取得部と、
前記取得部により取得された前記目標値についての情報と前記電力情報とに応じた画像を作成する制御部と、を有することを特徴とする電力管理装置。
【請求項２】
請求項１記載の電力管理装置において、
前記目標値は金額であり、
前記制御部は、前記電力情報に基づき、前記分散電源により供給された電力の、前記需要家施設における消費量に対応する電気料金、および、売電量に対応する売電料金を算出し、
一定期間ごとの前記電気料金および前記売電料金の累積値を前記分散電源の発電による利益として算出し、
該算出した利益と目標金額とに応じた画像を作成することを特徴とする電力管理装置。
【請求項３】
請求項２記載の電力管理装置において、
前記制御部は、前記目標金額に対する前記算出した利益の割合を示す内容を含む画像を作成することを特徴とする電力管理装置。
【請求項４】
請求項２または３記載の電力管理装置において、
前記制御部は、前記目標金額および前記算出した利益それぞれに対応するオブジェクトを示す内容を含む画像を作成することを特徴とする電力管理装置。
【請求項５】
請求項２から４のいずれか１項に記載の電力管理装置において、
前記制御部は、前記利益が前記目標金額に到達する到達時点を予測し、該予測した到達時点を示す内容を含む画像を作成することを特徴とする電力管理装置。
【請求項６】
請求項５記載の電力管理装置において、
前記制御部は、前記分散電源の経時劣化を考慮して、前記到達時点を予測することを特徴とする電力管理装置。
【請求項７】
請求項１から６のいずれか１項に記載の電力管理装置において、
前記制御部は、予め指定されたタイミングで前記画像を更新することを特徴とする電力管理装置。
【請求項８】
請求項１から７のいずれか１項に記載の電力管理装置において、
前記制御部は、予め設定されたイベントの発生を契機として、前記画像のデータを他の端末に送信することを特徴とする電力管理装置。
【請求項９】
請求項１から８のいずれか１項に記載の電力管理装置において、
表示部をさらに有し、
前記電力管理装置は、前記需要家施設の玄関ドアの内側に設置されていることを特徴とする電力管理装置。
【請求項１０】
請求項１から９のいずれか１項に記載の電力管理装置において、
前記目標値は、前記分散電源の発電により得られる利益の累積値であることを特徴とする電力管理装置。
【請求項１１】
需要家施設に備えられた分散電源の発電による利益に関する目標値についての情報、一定期間における前記分散電源の発電量、ならびに前記分散電源により供給された電力の前記需要家施設における消費量および売電量に関する電力情報を取得するステップと、
前記取得した前記目標値についての情報と前記電力情報とに応じた画像を作成するステップと、
前記作成した画像を表示装置に表示するステップと、を含む表示方法。
【請求項１２】
コンピュータに、
需要家施設に備えられた分散電源の発電による利益に関する目標値についての情報、一定期間における前記分散電源の発電量、ならびに前記分散電源により供給された電力の前記需要家施設における消費量および売電量に関する電力情報を取得する処理と、
前記取得した前記目標値についての情報と前記電力情報とに応じた画像を作成する処理とを実行させるプログラム。
【発明の詳細な説明】
【技術分野】
【０００１】
本発明は、電力管理装置、表示方法およびプログラムに関する。
【背景技術】
【０００２】
近年、太陽電池、燃料電池などの分散電源を一般家庭などの需要家施設に設け、分散電源から供給された電力を需要家施設内で消費するとともに、余剰電力を売る（売電）ことができる電力管理システムが普及しつつある。また、需要家施設ごとに電力管理装置（例えば、ＨＥＭＳ：Ｈｏｍｅ  Ｅｎｅｒｇｙ  Ｍａｎａｇｅｍｅｎｔ  Ｓｙｓｔｅｍ）を設け、電力管理装置によって、需要家施設に設けられた負荷機器などを制御する技術が知られている（特許文献１参照）。電力管理装置は、分散電源の発電量、需要家施設における電力の消費量、買電量／売電量などを示す画像を作成し、表示装置に表示させることが可能である。
【先行技術文献】
【特許文献】
【０００３】
【特許文献１】特開２００３−３０９９２８号公報
【発明の概要】
【発明が解決しようとする課題】
【０００４】
一般に、分散電源を設置した利用者にとって、分散電源の設置費用に見合う利益を分散電源の発電により受けているか否かは大きな関心事である。しかしながら、分散電源の発電量、需要家施設における電力の消費量、買電量／売電量などの情報を表示するだけでは、分散電源の設置費用に対してどれくらいの利益を受けているかが分かりにくい。そのため、利用者は次第に、表示に対する関心を失ってしまうという課題がある。
【０００５】
本発明の目的は、上述した課題を解決し、利用者の関心をより喚起する画像を作成することができる電力管理装置、表示方法およびプログラムを提供することにある。
【課題を解決するための手段】
【０００６】
上記課題を解決するため、本発明に係る電力管理装置は、分散電源を備える需要家施設に設けられた電力管理装置であって、前記分散電源の発電による利益に関する目標値についての情報、一定期間における前記分散電源の発電量、ならびに前記分散電源により供給された電力の前記需要家施設における消費量および売電量に関する電力情報を取得する取得部と、前記取得部により取得された前記目標値についての情報と前記電力情報とに応じた画像を作成する制御部と、を有する。
【０００７】
また、上記課題を解決するため、本発明に係る表示方法は、需要家施設に備えられた分散電源の発電による利益に関する目標値についての情報、一定期間における前記分散電源の発電量、ならびに前記分散電源により供給された電力の前記需要家施設における消費量および売電量に関する電力情報を取得するステップと、前記取得した前記目標値についての情報と前記電力情報とに応じた画像を作成するステップと、前記作成した画像を表示装置に表示するステップと、を含む。
【０００８】
また、上記課題を解決するため、本発明に係るプログラムは、コンピュータに、需要家施設に備えられた分散電源の発電による利益に関する目標値についての情報、一定期間における前記分散電源の発電量、ならびに前記分散電源により供給された電力の前記需要家施設における消費量および売電量に関する電力情報を取得する処理と、前記取得した前記目標値についての情報と前記電力情報とに応じた画像を作成する処理とを実行させる。
【発明の効果】
【０００９】
本発明に係る電力管理装置、表示方法およびプログラムによれば、利用者の関心をより喚起する画像を作成することができる。
【図面の簡単な説明】
【００１０】
【図１】本発明の一実施形態に係る電力管理システムの概略構成を示す機能ブロック図である。
【図２】図１に示す電力管理装置の要部構成を示す機能ブロック図である。
【図３】図２に示す制御部が作成する画像の一例を示す図である。
【図４】図２に示す制御部による、分散電源の発電による利益の算出について説明するための図である。
【図５】図２に示す制御部が作成する画像の別の一例を示す図である。
【図６】図２に示す制御部が作成する画像の別の一例を示す図である。
【図７】図２に示す制御部が作成する画像の別の一例を示す図である。
【図８】本発明の一実施形態に係る電力管理装置の他の構成例を示す機能ブロック図である。
【図９】図８に示す電力管理装置の設置例を示す図である。
【図１０】図９に示す制御部が作成する画像の一例を示す図である。
【発明を実施するための形態】
【００１１】
以下、本発明の実施の形態について説明する。
【００１２】
図１は、本発明の一実施形態に係る電力管理システム１０の概略構成を示すブロック図である。
【００１３】
図１に示す電力管理システム１０は、表示装置１１と、電力管理装置１２と、スマートメータ１３と、パワーコンディショナ１４と、分散電源１５とを含んで構成される。
【００１４】
図１において、各機能ブロックを結ぶ実線は、電力の流れを示す。また、図１において、各機能ブロックを結ぶ破線は、制御信号または通信される情報の流れを示す。破線が示す通信は有線通信であってもよいし、無線通信であってもよい。
【００１５】
制御信号および情報の通信には、様々な方式を採用可能である。例えば、電力管理装置１２と、表示装置１１、スマートメータ１３、およびパワーコンディショナ１４といった各装置との通信には、ＺｉｇＢｅｅ（登録商標）などの近距離通信方式による通信を採用することができる。また、電力管理装置１２と負荷機器１７との通信には、赤外線通信、電力線搬送通信（ＰＬＣ：Ｐｏｗｅｒ  Ｌｉｎｅ  Ｃｏｍｍｕｎｉｃａｔｉｏｎ）、ＺｉｇＢｅｅ、Ｅｃｈｏｎｅｔ  Ｌｉｔｅ（登録商標）など、種々の方式による通信を採用することができる。
【００１６】
電力管理システム１０は、商用電源５０から供給される電力の他、分散電源１５が供給する電力を、負荷機器１７に供給可能である。
【００１７】
表示装置１１は、液晶ディスプレイ（ＬＣＤ）または有機ＥＬディスプレイなどにより構成される表示部を有する。表示装置１１は、専用に設計された端末、モバイル端末、パソコン（ＰＣ）、ノートパソコン、またはタブレットＰＣなどの、各種の端末とすることができる。
【００１８】
表示装置１１は、単色表示またはグレイスケールによって表示するものを用いてもよい。表示装置１１において単色表示またはグレイスケールで表示することで、表示装置１１の小電力化を図ることができる。一方、一般の利用者が一見して容易に把握できるような態様で表示を行うために、カラー表示に対応したものを用いてもよい。表示装置１１は、カラーによって表示することで視認性を向上させ、更に利用者の関心を喚起することができる。なお、表示装置１１において単色表示またはグレイスケールとカラーの表示を時間によって切り換えてもよい。
【００１９】
表示装置１１は、電力管理装置１２が作成する画像、例えば、分散電源１５の発電量、売電量などを示す画像を表示する。また、表示装置１１が備える表示部が、利用者が指などにより直接触れる操作を検出可能な、いわゆるタッチパネルである場合には、電力管理装置１２の有する機能を実行させるための様々な入力を受け付けるための画像を表示してもよい。
【００２０】
タッチパネルは、表示装置１１の表示面の前面に、指、スタイラスペンなどの接触を検出するタッチセンサの接触検出面を重ねて配置することで構成される。このような構成により、表示されたアイコンのオブジェクトなどへの接触を検出可能である。したがって、このような構成のタッチパネルにより、利用者に直感的な操作性を提供可能である。表示装置１１は、タッチパネルを備える場合には、タッチパネルを介した入力に応じた信号を電力管理装置１２に出力する。
【００２１】
電力管理装置１２は、電力管理システム１０における各機器の電力を制御および管理する。また、電力管理装置１２は、表示装置１１に表示させる画像を作成する。電力管理装置１２の構成の詳細については後述する。
【００２２】
スマートメータ１３は、商用電源５０に接続されて、商用電源５０から供給される電力を計測する。また、スマートメータ１３は、分電盤１６に接続されて、分散電源１５が発電してパワーコンディショナ１４から分電盤１６を介して電力会社に売電する電力を計測する。スマートメータ１３は、計測結果を電力管理装置１２に通知可能である。
【００２３】
また、スマートメータ１３は、系統ＥＭＳ（Ｅｎｅｒｇｙ  Ｍａｎａｇｅｍｅｎｔ  Ｓｙｓｔｅｍ）６０から、例えば電力に関する時間別の価格などの価格情報を受信可能である。系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。系統ＥＭＳ６０は、各種の電力に関する情報を記憶するデータベース６１を有しており、スマートメータ１３の計測結果の情報を収集して蓄積することもできる。また、系統ＥＭＳ６０は、インターネットなどの外部ネットワーク７０に接続可能である。
【００２４】
パワーコンディショナ１４は、分散電源１５から供給される直流の電力を、交流の電力に変換する。パワーコンディショナ１４は、変換した交流の電力を、分電盤１６で複数に分岐した支幹を介して各負荷機器１７に供給する。また、パワーコンディショナ１４は、分散電源１５が発電した電力に余剰がある場合には、変換した交流の電力を、分電盤１６を介して電力会社に売電することもできる。
【００２５】
分散電源１５は、例えば、太陽電池、燃料電池、蓄電池またはこれらを組み合わせたものなどである。分散電源１５が発電する電力は、パワーコンディショナ１４によって交流に変換されてから、各負荷機器１７へ供給、および／または、電力会社に売電可能である。
【００２６】
分電盤１６は、供給される電力を複数の支幹に分岐させて各負荷機器１７に分配する。各支幹には、消費電力の大きい代表的な負荷機器が直接接続されるものと、部屋ごとにまとめられたものとがある。前者における負荷機器は、例えば、エアコン、冷蔵庫、ＩＨクッキングヒータなどである。後者における負荷機器は、各部屋にいくつか設けられているコンセントに接続される負荷機器であり、どのような負荷機器がコンセントに接続されるかは不定である。
【００２７】
図１において、電力管理システム１０に接続される負荷機器１７の数は、任意の数とすることができる。これらの負荷機器１７は、例えば、テレビ、エアコン、冷蔵庫など、種々の電化製品である。これらの負荷機器１７は、分電盤１６を介してパワーコンディショナ１４に接続されて、電力が供給される。
【００２８】
次に、本実施形態に係る電力管理装置１２について、さらに説明する。
【００２９】
図２は、本実施形態に係る電力管理装置１２の要部構成を示す機能ブロック図である。
【００３０】
図２に示す電力管理装置１２は、取得部２１と、制御部２２とを含んで構成される。
【００３１】
取得部２１は、例えば通信インターフェースであり、表示装置１１、スマートメータ１３、パワーコンディショナ１４、および負荷機器１７との間において、制御部２２からの制御信号および様々な情報を送受信する。
【００３２】
例えば、取得部２１は、商用電源５０からの買電量および／または商用電源５０への売電量についての情報をスマートメータ１３から取得可能である。また、取得部２１は、分散電源１５および商用電源５０から分電盤１６で複数に分岐した支幹を介して負荷機器１７に供給される電力についての情報を、各支幹に設けたセンサを介してパワーコンディショナ１４から取得可能である。これらの情報から、一定期間における分散電源１５の発電量、分散電源１５により供給された電力の需要家施設における消費量および売電量などを算出することができる。以下では、一定期間における分散電源１５の発電量、分散電源１５により供給された電力の需要家施設における消費量および売電量などを算出するためのこれらの情報をまとめて電力情報と称する。
【００３３】
また、取得部２１は、各負荷機器１７から消費電力についての情報を直接取得可能である。また、取得部２１は、外部ネットワーク７０から多様な情報を取得可能である。また、取得部２１は、例えば、タッチパネルを備える表示装置１１に入力される、分散電源１５の発電による利益に関する目標値（例えば、分散電源１５の設置費用）についての情報を、表示装置１１から取得可能である。また、取得部２１は、電力管理装置１２が利用者からの操作入力を直接受け付けるための入力部を備える場合には、入力部を介して入力される、分散電源１５の発電による利益に関する目標値についての情報を取得可能である。分散電源１５の発電による利益に関する目標値とは、分散電源１５の発電により得られる利益を累積した値として目標とする値であり、例えば、分散電源１５の設置費用に相当する金額が設定される。
【００３４】
制御部２２は、電力管理装置１２の各機能部をはじめとして電力管理装置１２の全体を制御および管理する。制御部２２は、取得部２１が取得した種々の情報を記憶装置２５に記憶させる。記憶装置２５は、任意のメモリ装置などにより構成することができる。図２においては、記憶装置２５は、電力管理装置１２の外部に設けられているが、これに限られるものではない。電力管理装置１２が、記憶装置（記憶部）２５を備えていてもよい。
【００３５】
また、制御部２２は、取得部２１が取得した、分散電源１５の発電による利益に関する目標値についての情報と電力情報とに応じた画像を作成し、作成した画像を表示装置１１に表示させる。制御部２２は、例えばマイコンまたはプロセッサなどで構成することができる。
【００３６】
次に、本実施形態に係る制御部２２が作成する画像の具体例について説明する。
【００３７】
図３は、制御部２２が作成する画像の一例を示す図である。
【００３８】
図３に示すように、制御部２２が作成する画像には、分散電源１５の発電量３１、分散電源１５から負荷機器１７に供給された電力の需要家施設における消費量３２および売電量３３が含まれている。また、制御部２２が作成する画像には、分散電源１５の発電による利益に関する目標値（目標金額）３４、分散電源１５の発電により得られた利益３５、および目標金額に対する分散電源１５の発電により得られた利益の割合３６が含まれている。
【００３９】
制御部２２は、分散電源１５の発電により得られた利益を以下のようにして算出する。すなわち、図４に示すように、一定期間における分散電源１５の総発電量は、その期間における分散電源１５により供給された電力の、需要家施設で消費された消費量と売電量との和である。上述したように、制御部２２は、取得部２１が取得した電力情報に基づき、一定期間における分散電源１５の総発電量、分散電源１５により供給された電力の、需要家施設で消費された消費量および売電量を把握することができる。
【００４０】
ここで、一定期間は、利用者が任意に設定することができる。一定期間としては、例えば、分散電源１５の運転を開始したときから現在までの累積期間であってもよいし、１日または１年などの特定期間であってもよい。
【００４１】
そして、制御部２２は、分散電源１５により供給された電力の需要家施設における消費量と、その需要家施設に適用される電気料金の算出に関する規定とに基づき、消費量に相当する電気料金を算出する。また、制御部２２は、売電量と、予め定められた売電単価とに基づき、売電量に相当する売電料金を算出する。そして、制御部２２は、一定期間ごとの、消費量に相当する電気料金および売電量に相当する売電料金の累積値を分散電源１５の発電により得られた利益として算出する。
【００４２】
需要家施設に適用される電気料金の算出に関する規定および売電単価の料金情報は予め、例えば、タッチパネルを備えた表示装置１１などを介して電力管理装置１２に入力され、記憶装置２５に記憶されている。また、これらの料金情報は、例えば、外部ネットワーク７０を介して系統ＥＭＳ６０から電力管理装置１２に入力されてもよい。また、これらの情報は、取得部２１が他の端末と通信を行う機能を有する場合には、他の端末を介して入力されてもよい。
【００４３】
このように、利用者にとって大きな関心事である、分散電源１５の発電により得られる利益の目標金額と実際に得られた利益とを示す画像を表示することで、利用者の関心をより喚起することができる。
【００４４】
図５は、制御部２２が作成する画像の他の一例を示す図である。図５において、図３と同様の構成要素については同じ符号を付し、説明を省略する。
【００４５】
図５に示すように、制御部２２が作成する画像には、目標金額を示す目標ラインと、一定期間ごと（例えば、１か月ごと）の分散電源１５の発電により得られた利益の累積値とを示すグラフ３７がさらに含まれている。
【００４６】
目標金額と分散電源１５の発電により得られた利益の累積値とを示すグラフを示すことで、一定期間ごとの利益の増加具合あるいは目標金額の達成度などを利用者がより直観的に把握しやすくなる。
【００４７】
図６は、制御部２２が作成する画像の他の一例を示す図である。図６において、図３と同様の構成要素については同じ符号を付し、説明を省略する。
【００４８】
図６に示す例では、制御部２２は、目標金額および分散電源１５の発電により得られた利益をオブジェクトにより示す画像を作成する。具体的には、制御部２２が作成する画像には、目標金額に対応する街の目標人口３８と、分散電源１５の発電により得られた利益に対応する街の人口３９と、発電量に対応する建物４０とが含まれる。そして、制御部２２は、発電量利益が増えるにつれて、放射状に町が発展していくような画像を作成する。
【００４９】
このように、目標金額、分散電源１５の発電により得られた利益などを、オブジェクトにより表現することで、利用者にとっては、より直観的な理解が可能となる。
【００５０】
図７は、制御部２２が作成する画像の他の一例を示す図である。図７において、図５と同様の構成要素については同じ符号を付し、説明を省略する。
【００５１】
図７に示すように、制御部２２が作成する画像には、分散電源１５の発電により得られた利益が目標金額に到達する到達時点の予測値である目標達成時点（目標達成予定日４１）がさらに含まれる。目標達成時点は、例えば、一定期間ごとの分散電源１５の発電により得られた利益を記憶装置２５に記憶させておき、一定期間ごとの利益の増加量または過去の実績値などから予測することができる。
【００５２】
このように、目標達成時点を表示することで、利用者の関心をより喚起することができる。特に、目標達成予定日を表示することにより、目標達成までに必要な日数を知ることができるため、利用者の関心をさらに喚起することができる。
【００５３】
分散電源１５の発電量は、経時劣化により徐々に減少していくことがある。そこで、制御部２２は、分散電源１５の経時劣化を考慮して、目標達成時点を予測してもよい。例えば、制御部２２は、経時劣化による発電量の減少の度合いを数値化した劣化係数に基づき、将来の分散電源１５の発電量を予測し、この予測に基づき、目標達成時点を予測することができる。
【００５４】
例えば、劣化係数が、設置初期は０％、設置から１年後は０．５％、設置から１０年後は５％である（１年ごとに０．５％ずつ劣化する）とする。この場合、設置初期の分散電源１５の最大発電量を１．０（３．０ｋＷ）とすると、１０年後には、分散電源１５の最大発電量は０．９５（２．８５ｋＷ）となる。そのため、例えば、劣化がないと仮定した場合に、１０年で利益が目標金額に到達すると予測された場合、劣化を考慮すると、目標達成時点が２．５％程度（約３カ月）遅れることになる。
【００５５】
劣化係数のような分散電源１５の劣化に関する情報は、メーカの実証実験に基づき求めることができる。このような情報は予め、例えば、タッチパネルを備えた表示装置１１を介して電力管理装置１２に入力されてもよいし、外部ネットワーク７０を介して系統ＥＭＳ６０から入力されてもよい。
【００５６】
このように、分散電源１５の経時劣化を考慮して目標達成時点を予測することで、目標達成時点の予測精度の向上を図ることができる。
【００５７】
次に、本実施形態に係る電力管理装置１２の設置例および動作例について説明する。図１においては、電力管理装置１２が、作成した画像を表示装置１１に表示させる例を用いて説明したが、電力管理装置１２が画像を表示する表示機能を有していてもよい。以下では、電力管理装置１２が表示機能を有するものとして説明する。すなわち、図８に示すように、電力管理装置１２は、取得部２１、制御部２２に加えて、表示部２３を有するものとして説明する。また、以下では、表示部２３は、指、スタイラスペンなどの接触を検出する、いわゆるタッチパネルであるとして説明する。
【００５８】
図９は、電力管理装置１２の設置例を示す図である。
【００５９】
図９に示すように、電力管理装置１２は、需要家施設の玄関ドア１８の内側に設置されている。このように、玄関ドア１８の内側に設置されることで、利用者が外出したり、帰宅したりした際に、表示部２３の表示を見る機会が増加する。
【００６０】
次に、電力管理装置１２の動作について説明する。
【００６１】
制御部２２は、表示部２３の表示を更新する時間の入力を受け付ける。具体的には、制御部２２は、図１０に示すような、表示部２３の表示を更新する時間の入力画像を表示部２３に表示させる。
【００６２】
図１０に示すように、制御部２２が作成する画像には、設定時間４２と、設定時間を変更する旨を示す変更ボタン４３と、設定時間の時分を変更するためのボタン４４と、設定時間を確定する旨を示す確定ボタン４５とが含まれる。以下では、表示部２３の表示を更新する時間として、１４：００が設定されたものとする。
【００６３】
この場合、制御部２２は、前日の１４：００以降から当日の１４：００までの、分散電源１５の発電量、需要家施設における消費量、売電量などの情報を蓄積しておき、１４：００になると蓄積していた情報に基づき、画像を更新する。こうすることで、表示部２３は、例えば、朝、利用者が外出する際には、前々日の１４：００以降から前日の１４：００までの情報を表示し、夜、帰宅時には、前日の１４：００以降から当日の１４：００までの情報を表示することができる。そのため、日々の分散電源１５の発電量、需要家施設における消費量、売電量などの情報を適宜、利用者に提供することができる。
【００６４】
また、制御部２２は、一定時間（画像の更新周期）ごとの分散電源１５の発電量、需要家施設における消費量、売電量などの情報とともに、リアルタイムの分散電源１５の発電量、需要家施設における消費量、売電量などの情報を表示部２３に表示させてもよい。
【００６５】
さらに、普段はリアルタイムの分散電源１５の発電量、需要家施設における消費量、売電量などのリアルタイム情報を表示部２３に表示させておき、利用者があらかじめ設定した時間（または設定期間）に制御部２２が作成した画像を表示してもよい。これにより、普段は分散電源１５などのリアルタイム情報を知ることができる一方、設定の時間のみ目標値に対してどの程度達成しているか確認することができる。その結果、利用者の関心を喚起しつつ、普段はリアルタイムの状況を知ることができるので利用性を向上させることができる。
【００６６】
図９に示すように、電力管理装置１２が設置された玄関ドア１８には、玄関ドア１８の開閉を検出する開閉検出装置２６が設けられている。取得部２１は、開閉検出装置２６と通信可能であり、玄関ドア１８の開閉の検出結果を開閉検出装置２６から取得する。また、取得部２１は、記憶装置２５に予め登録された他の端末２７、例えば、利用者が携帯する携帯端末と無線通信を行う機能を有している。
【００６７】
制御部２２は、予め設定されたイベントの発生を契機として、その時点で作成（表示）している画像の画像データを、取得部２１に端末２７へ送信させる。例えば、制御部２２は、電力管理装置１２が設置された玄関ドア１８の開閉（開閉検出装置２６からの玄関ドア１８の開閉を検出した旨の通知）を契機として、画像データを取得部２１に端末２７へ送信させる。こうすることで、利用者が外出または帰宅のために玄関ドア１８を開閉した際に、その時点で作成（表示）されている画像を利用者が携帯する端末２７で表示させることができる。そのため、利用者が、電力管理装置１２が作成した画像を見る機会を増加させることができる。
【００６８】
ここで、玄関ドア１８の開閉というイベントを契機として、画像データを端末２７に送信することで、端末２７を携帯する利用者が単に玄関ドア１８に近づいただけで、画像データが送信されてしまうことを防ぐことができる。
【００６９】
電力管理装置１２が画像データを端末２７に送信する契機となるイベントは、玄関ドア１８の開閉だけに限られるものではない。例えば、電力管理装置１２は、画像データの送信要求を端末２７から受信することを契機として、画像データを送信してもよい。
【００７０】
本発明に係る電力管理装置１２において行われる方法は、コンピュータに実行させるためのプログラムに適用してもよい。また、そのプログラムを記憶媒体に格納することも可能であり、ネットワークを介して外部に提供することも可能である。
【００７１】
このように、本実施形態によれば、電力管理装置１２は、分散電源１５の発電による利益に関する目標値についての情報と、一定期間における分散電源１５の発電量、分散電源１５により供給された電力の需要家施設における消費量および売電量に関する電力情報とに応じた画像を作成する。こうすることで、分散電源１５の設置費用に見合う利益を分散電源１５の発電により受けているか否かを利用者が容易に把握できるようになり、利用者の関心をより喚起することができる。
【００７２】
また、本実施形態によれば、電力情報に基づき、分散電源１５により供給された電力の、需要家施設における消費量に対応する電気料金、および、売電量に対応する売電料金を算出し、一定期間ごとの電気料金および売電料金の累積値を分散電源１５の発電による利益として算出し、算出した利益と目標金額とに応じた画像を作成することで、実際に得られている利益を実際の金額として利用者が容易に把握できるようになり、利用者の関心をより喚起することができる。
【００７３】
また、本実施形態によれば、目標金額に対する算出した利益の割合をさらに示す画像を作成することで、目標金額に対してどれくらいの利益を得ているかを利用者が容易に把握できるようになり、利用者の関心をより喚起することができる。
【００７４】
また、本実施形態によれば、目標金額および算出した利益それぞれに対応するオブジェクトを示す画像を作成することで、利用者にとっては、より直観的な理解が可能となる。
【００７５】
また、本実施形態によれば、利益が目標金額に到達する到達時点をさらに示す画像を作成することで、利益が目標金額に到達するまでの期間を利用者が容易に把握できるようになり、利用者の関心をより喚起することができる。
【００７６】
また、本実施形態によれば、分散電源１５の経時劣化を考慮して、到達時点を予測することで、到達時点をより正確に予測することができる。
【００７７】
また、本実施形態によれば、予め指定されたタイミングで画像を更新することで、一定期間ごとの分散電源１５の発電量、需要家施設における消費量、売電量などの情報を適宜、利用者に提供することができる。
【００７８】
また、本実施形態によれば、予め設定されたイベントの発生を契機として、画像の画像データを他の端末に送信することで、利用者の意図しないタイミングで画像データが他の端末に送信されることを防ぐことができる。
【００７９】
また、本実施形態によれば、電力管理装置は、表示部を有し、需要家施設の玄関ドアの内側に設置されていることで、利用者が、電力管理装置１２が作成した画像を見る機会を増加させることができる。
【００８０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【００８１】
また、分散電源１５によって得られた利益としては、発電による利益に限定されない。すなわち、分散電源１５によって得られた利益とは、分散電源１５を設置したことにより、分散電源１５を設置していない場合と比較して得られる利益を含むものである。具体的には、例えば分散電源１５として蓄電池を用いた場合に、電気料金の安い時間帯に商用電源５０から買電して蓄電しておき、電気料金の高い時間帯に蓄電した電力を使用することにより電気料金を低くすることによる利益も含むものである。
【００８２】
また、目標値を設定した後、目標値を変更できるようにしてもよい。具体的に、分散電源１５の設置費用に相当する額を目標値として設定した後、分散電源１５の維持費用または分散電源１５を追加で設置したことによる費用を追加で入力して目標値を変更できるようにしてもよい。このように維持費用を含めて計算できるようにすることで、利用者の関心をさらに喚起することができる。
【符号の説明】
【００８３】
１０    電力管理システム
１１    表示装置
１２    電力管理装置
１３    スマートメータ
１４    パワーコンディショナ
１５    分散電源
１６    分電盤
１７    負荷機器
１８    玄関ドア
２１    取得部
２２    制御部
２３    表示部
２５    記憶装置
２６    開閉検出装置
２７    端末
５０    商用電源
６０    系統ＥＭＳ
６１    データベース
７０    外部ネットワーク
【図１】
2016123183.tif 000003
【図２】
2016123183.tif 000004
【図３】
2016123183.tif 000005
【図４】
2016123183.tif 000006
【図５】
2016123183.tif 000007
【図６】
2016123183.tif 000008
【図７】
2016123183.tif 000009
【図８】
2016123183.tif 000010
【図９】
2016123183.tif 000011
【図１０】
2016123183.tif 000012